(57)【要約】【課題】  携帯通信機に装着されている電池容量のサイズに関係なく安定した保持力および接触圧力を得ることが可能な充電用ホルダ構造を提供する。【解決手段】  充電用ホルダ１はカバー１１とベース１２からなり、カバー１１の上端前方部分および手前部分に、携帯通信機をホルダ１に装着したとき携帯通信機に設けられた凹部と嵌合する嵌合爪１１１および１１２を配置する。携帯通信機が装着されたときに、該携帯通信機の背面に装着された電池が位置するカバー１１の中央部を切り欠き、この切り欠き部分にプレート１３を配置する。プレート１３には充電端子１３１を二箇所装着するとともに、クッション１３２を配置する。プレート１３の裏側にはスプリングが備え付けられており、携帯通信機がホルダ１に装着されたときそのバネ圧によりプレート１３を携帯通信機の背面側に押しつける力が付与される。【選択図】  図１
2005245071.tif 000002
【特許請求の範囲】
【請求項１】
背面に電池パックが装着された携帯通信機を保持した状態で前記電池パックの充電を行う充電用ホルダにおいて、
前記携帯通信機が保持されたときにその背面に装着された電池パックと当接するとともに、該電池パックの当接面からの押圧力を受けて沈み込み可能に構成されたプレートを備えていることを特徴とする携帯通信機の充電用ホルダ。
【請求項２】
前記プレートは、スプリングを介して前記充電用ホルダのベースに支持されており、前記電池パックの当接面からの押圧力を該スプリングの変形により吸収する構成となっていることを特徴とする請求項１に記載の携帯通信機の充電用ホルダ。
【請求項３】
前記スプリングは、モールド成形により前記プレートと一体に形成された板状のばねによって構成されていることを特徴とする請求項２に記載の携帯通信機の充電用ホルダ。
【請求項４】
前記プレートの前記電池パックと当接する面には、充電用端子部と、所定厚みのクッション部材が備えられていることを特徴とする請求項１〜３のいずれかに記載の携帯通信機の充電用ホルダ。
【請求項５】
クッション部材は、モールド成形により前記プレートと一体に形成されたリブによって構成されていることを特徴とする請求項４に記載の携帯通信機の充電用ホルダ。
【発明の詳細な説明】
【技術分野】
【０００１】
本発明は、電池パックを装着した状態の携帯電話機等の携帯通信機に充電する際に用いる携帯通信機のホルダ構造に関する。
【背景技術】
【０００２】
携帯電話機等の携帯通信機に装着される電池パックには、大容量電池パック（Ｌ電池）と小容量電池パック（Ｓ電池）があり、この電池パックを装着した状態で携帯通信機を充電器に保持させて充電を行う充電用ホルダにおいて、いずれの電池パックが装着されていても携帯通信機を充電用ホルダに装着できるように、充電用ホルダに、Ｌ電池が装着されているときに突出する部分が入り込む窪みを設けた構成が、特許文献１に記載されている。
【０００３】
図６は、このような従来の充電用ホルダを示す斜視図であり、図７は、従来の充電用ホルダの正面図である。
【０００４】
図６〜図７において、充電用ホルダ１はカバー１１とベース１２からなり、カバー１１の上部分および下部分には、携帯通信機をホルダ１に装着して充電する際に、携帯通信機の電池パックが装着されたケースの上下端部に設けられた凹部と嵌合する嵌合爪１１１および１１２が配置されている。またカバー１１の中央部分には、Ｌ電池が装着された携帯通信機を保持する際にＬ電池の突出部が入り込む窪み１１３が設けられている。窪み１１３の周りには突き当て部１１４が設けられ、窪み１１３のやや前方の上方の突き当て部には、充電端子１３１が突出する孔が二箇所設けられている。
【０００５】
図８は、図６〜図７に示す充電用ホルダ１に対して、Ｓ電池３が装着されている携帯通信機２を装着して充電を行っている状態を示す断面図である。携帯通信機２は、ホルダ１の嵌合爪１１１と相対する箇所に設けられた嵌合凹部２１とホルダ１の嵌合爪１１２と相対する箇所に設けられた嵌合凹部２２を、それぞれ嵌合爪１１１と１１２に嵌合させることによりホルダ１に保持される。
【０００６】
携帯通信機２の背面にはＳ電池３が装着され、またホルダ１の充電端子１３１と相対する場所には電池端子３１設けられており、携帯通信機２がホルダ１に保持された状態のとき、ホルダ１の充電端子１３１と電池端子３１が接触するように構成されている。充電端子１３１の先端はケーブル１３４と接続され、このケーブル１３４を介して外部コネクタ１４と接続されている。
【０００７】
図９は、図６〜図７に示す充電用ホルダ１に対して、Ｌ電池４が装着されている携帯通信機２を装着して充電を行っている状態を示す断面図である。Ｌ電池４が装着されたことによる背面の膨らみは、ホルダ１に形成された窪み１１３に入り込むことでＳ電池３とＬ電池４の大きさ（厚み）の違いを吸収することができる。
【０００８】
【特許文献１】特開平５−１２２３１５号公報
【発明の開示】
【発明が解決しようとする課題】
【０００９】
上記従来技術では、携帯通信機の背面に装着される電池容量がＳサイズ、Ｌサイズのいずれであっても充電用ホルダ１による充電が可能であるが、携帯通信機２をホルダ１に装着したときのがたつきを押さえるために、携帯通信機背面の電池が装着されている周囲をホルダ１の突き当て部１１４に突き当てる必要あるため携帯通信機の形状が制約を受けてしまいデザイン性を損なってしまう懸念があった。
【００１０】
また、充電端子部１３１も電池の種類に限らず接触圧力を同じにする必要あるため電池の膨らみ部に設けることができないという制約があり、そのため携帯通信機の電池端子３１も電池の大きさにとらわれず一定となる位置に形成する必要がありデザイン性を損なう懸念があるだけでなく携帯通信機の内部実装にも制約ができてしまっていた。
【００１１】
本発明の目的は、上記の問題点に鑑み、携帯通信機に装着されている電池容量がＳサイズ、Ｌサイズのいずれであっても安定した保持力および接触圧力を得ることが可能な携帯通信機の充電用ホルダ構造を提供することにある。
【００１２】
本発明の他の目的は、充電用ホルダ構造によって携帯通信機の電池端子の位置、内部実装あるいはデザイン上の制約を与えない構成を提供することにある。
【課題を解決するための手段】
【００１３】
本発明は、背面に電池パックが装着された携帯通信機を保持した状態で前記電池パックの充電を行う充電用ホルダにおいて、前記携帯通信機を保持したときにその背面に装着された電池パックと当接するとともに、該電池パックの当接面からの押圧力を受けて沈み込み可能に構成されたプレートを備えていることを特徴とする。
【００１４】
前記プレートは、スプリングを介して前記充電用ホルダのベースに支持されており、電池パックから受ける押圧力に抗してスプリングが変形されることによりこのプレートが沈み込む構成となっている。前記スプリングは、独立した単体の構成でも良いが、モールド成形により前記プレートと一体に形成された板状のばねによって構成することができる。
【００１５】
また、前記プレートの前記電池パックと当接する面には、充電用端子部と、所定厚みのクッション部材を備えることができる。このクッション部材も独立した単体の構成でも良いが、モールド成形により前記プレートと一体に形成されたリブによって構成することもできる。
【００１６】
このように前記プレートは、例えばスプリングにより支持され、また充電端子部と所定厚みのクッション部材が備えられており、スプリングに抗した当接電池パックの押圧力で沈み込むことにより電池のサイズの違いを吸収するようにしているので、サイズの異なる電池が装着されていても充電が可能となるとともに、携帯通信機の特に背面のデザイン設計において自由度が増す。
【発明の効果】
【００１７】
本発明によれば、携帯通信機にＳサイズ、Ｌサイズのいずれの電池が装着されていても、安定した接触圧が保たれる。また、プレートは例えばスプリングのバネ力により充電用ホルダに保持されている携帯通信機を背面側から押し上げているため、携帯通信機をホルダに装着したときにがたつきが生じることがなく、安定に保持することができる。
【００１８】
また、携帯通信機のデザイン性を損なうことなく、かつ電池パックの大きさに関係なく充電時に安定した接触が得られる構造を提供することができる。
【発明を実施するための最良の形態】
【００１９】
図１は、本発明における充電用ホルダの第１の実施形態を示す斜視図であり、図２は、本実施形態の充電用ホルダの正面図である。
【００２０】
図１〜図２において、充電用ホルダ１はカバー１１とベース１２からなり、カバー１１の上部分および下部分には、携帯通信機をホルダ１に装着して充電する際に、携帯通信機の電池パックが装着されたケースの上下端部に設けられた凹部と嵌合する嵌合爪１１１および１１２が配置されている。また、携帯通信機がホルダ１に装着されたときに、該携帯通信機の背面に装着された電池が位置するカバー１１の中央部分は切り欠いてあり、この切り欠き部分にはプレート１３を配置する。
【００２１】
プレート１３には充電端子１３１を二箇所装着するとともに、所定厚みのクッション１３２を配置する。このクッション１３２は、充電端子１３１と電池側の端子接触圧力が電池の厚みによって変化するのを防ぐために設けられている。プレート１３の裏側にはスプリングが備え付けられており、携帯通信機がホルダ１に装着されたときそのバネ圧によりプレート１３を携帯通信機の背面側に押しつける力が付与される。
【００２２】
図３は、本実施形態の充電用ホルダ１に対して、Ｓ電池３が装着されている携帯通信機２を装着して充電を行っている状態を示す断面図である。
【００２３】
携帯通信機２は、ホルダ１の嵌合爪１１１と相対する箇所に設けられた嵌合凹部２１とホルダ１の嵌合爪１１２と相対する箇所に設けられた嵌合凹部２２を、それぞれ嵌合爪１１１と１１２に嵌合させることによりホルダ１に保持される。携帯通信機２の背面にはＳ電池３が装着され、またＳ電池３には、プレート１３の充電端子１３１と相対する場所に電池端子３１が設けられている。
【００２４】
プレート１３の裏側にはスプリング１３３が備え付けられており、プレート１３はこのスプリング１３３を介してベース１２に取り付けられる。携帯通信機２がホルダ１に保持された状態のとき、スプリング１３３のバネ圧によりプレート１３は、携帯通信機に装着されたＳ電池３の当接面を押す力が付与されるので、携帯通信機２はがたつくことなくホルダ１により保持されるとともに、プレート１３に配置されている充電端子１３１と電池端子３１も安定した接続が保たれる。充電端子１３１の先端はケーブル１３４と接続され、このケーブル１３４を介して外部コネクタ１４と接続されている。
【００２５】
Ｓ電池３の充電を行うために携帯通信機２をホルダ１に装着する際は、携帯通信機２の嵌合凹部２２をホルダ１の嵌合爪１１２に引っ掛け携帯通信機１を回転させながらホルダ１側へ押しつけ、携帯通信機２の嵌合凹部２１をホルダ１の嵌合爪１１１に嵌めこむ。その際、プレート１３の充電端子１３１は携帯通信機２により押し下げられ適切な接触圧力を保ちながら止まる。外部コネクタ１４から電力が供給されるとケーブル１３４、充電端子１３１を介し電池端子３１に電流が流れて充電される。
【００２６】
携帯通信機２の嵌合凹部２１とホルダ１の嵌合爪１１１による嵌合は、比較的浅い嵌合で十分であり、充電完了後に携帯通信機２をホルダ１から取り外す際には、携帯通信機２の嵌合凹部２１とホルダ１の嵌合爪１１１との嵌合部近辺を持って手前に引き離すようにすれば容易に取り外すことができる。
【００２７】
図４は、本実施形態の充電用ホルダ１に対して、Ｌ電池４が装着されている携帯通信機２を装着して充電を行っている状態を示す断面図である。
【００２８】
Ｌ電池４を装着した携帯通信機２をホルダ１に装着すると、Ｌ電池４の膨らみによりクッション１３２を介してプレート１３が押し下げられる。そして、携帯通信機２の嵌合凹部２１をホルダ１の嵌合爪１１１に嵌めこまれた位置で止まる。このときプレート１３のクッション１３２により電池端子３１とプレート１３の距離は一定に保たれ充電端子１３１の接触圧力はＳ電池３及びＬ電池４とも同じ程度にすることが可能となる。
【００２９】
図５は、本発明の第２の実施形態を示す断面図であり、第２の実施形態の充電用ホルダ１に対してＳ電池３が装着された携帯通信機２を保持させて充電を行っている状態を示している。
【００３０】
図５に示すように、本実施形態では、プレート１３とスプリングとしての板ばね１３５とクッションとしてのリブ１３６とを、モールド成形品として一体に形成している。その他の構成は第１の実施形態と同様である。本実施形態ではプレート１３の形状がやや複雑となるが、スプリングを板バネ１３５として、またクッションをリブ１３６として、プレート１３と一体成形した構成としているので、部品点数が削減でき、また組立ても容易となる。
【図面の簡単な説明】
【００３１】
【図１】本発明における充電用ホルダの第１の実施形態を示す斜視図である。
【図２】本実施形態の充電用ホルダの正面図である。
【図３】本実施形態の充電用ホルダに対して、Ｓ電池が装着されている携帯通信機を装着した状態を示す断面図である。
【図４】本実施形態の充電用ホルダに対して、Ｌ電池が装着されている携帯通信機を装着した状態を示す断面図である。
【図５】本発明の第２の実施形態を示す断面図である。
【図６】従来の充電用ホルダを示す斜視図である。
【図７】従来の充電用ホルダの正面図である。
【図８】従来の充電用ホルダに対して、Ｓ電池が装着されている携帯通信機を装着した状態を示す断面図である。
【図９】従来の充電用ホルダに対して、Ｌ電池が装着されている携帯通信機を装着した状態を示す断面図である。
【符号の説明】
【００３２】
１  充電用ホルダ
２  携帯通信機
３  Ｓサイズ電池
４  Ｌサイズ電池
１１  カバー１１
１２  ベース
１３  プレート
１４  外部コネクタ
２１，２２  嵌合凹部
３１  電池端子
１１１，１１２  嵌合爪
１１３  窪み
１３１  充電端子
１３２  クッション
１３３  スプリング
１３４  ケーブル
１３５  板ばね
１３６  リブ
【図１】
2005245071.tif 000003
【図２】
2005245071.tif 000004
【図３】
2005245071.tif 000005
【図４】
2005245071.tif 000006
【図５】
2005245071.tif 000007
【図６】
2005245071.tif 000008
【図７】
2005245071.tif 000009
【図８】
2005245071.tif 000010
【図９】
2005245071.tif 000011